(57)【特許請求の範囲】
【請求項１】
扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置であって、
前記ピン受け機構は、
ほぼ水平な状態で前記外枠の前方に突出し、先端部分が略Ｖ字形に切り欠かれ、その切り欠きの中央奥部に前記ヒンジピンが前方から嵌合できるように構成された凹部を備え、前記凹部の位置で前記ヒンジピンを回転可能に支持するピン受け片と、
前記ピン受け片に水平回転可能な状態で軸支されており、弾性力で前記ピン受け片の凹部の入口を塞ぐ位置に保持されるピン押え部材と、
前記ピン押え部材に設けられており、そのピン押え部材によって入口が塞がれている前記ピン受け片の凹部に対して前記ヒンジピンが押し込まれる動作により、そのヒンジピンの押圧力が加わるように構成されている押圧力受け面とを有しており、
前記ヒンジピンの押圧力が前記ピン押え部材の押圧力受け面に加わると、その押圧力により前記ピン押え部材が前記弾性力に抗して前記ピン受け片の凹部の入口を開く方向に回転し、前記ヒンジピンが前記凹部と嵌合して前記押圧力受け面から外れた状態で、前記ピン押え部材が前記弾性力により前記凹部の入口を塞ぐ方向に回転する構成であり、
前記ピン受け片の凹部の入口が前記ピン押え部材によって塞がれた状態で、前記凹部の入口には、その凹部の内側を目視可能な隙間が形成されていることを特徴とするパチンコ機のヒンジ装置。
【請求項２】
請求項１に記載されたパチンコ機のヒンジ装置であって、
前記ピン押え部材には、そのピン押え部材を弾性体の力に抗して凹部の入口を開く方向に回転させるためのレバー部が設けられており、
前記ピン押え部材が前記凹部の入口を塞ぐ位置にあるときに、前記レバー部は前枠と外枠の前面との間に挟まれるように構成されていることを特徴とするパチンコ機のヒンジ装置。
【発明の詳細な説明】
【技術分野】
【０００１】
本発明は、扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置に関する。
【背景技術】
【０００２】
パチンコ機のヒンジ装置に関しては様々な提案がなされている。
例えば、特許文献１に記載のヒンジ装置は、図９に示すように、外枠１０の上隅部にピン受け機構１００を備えている。ピン受け機構１００は、ほほ水平な状態で外枠１０の前方に突出するピン受け片１０２を有している。ピン受け片１０２の先端下側部分には、ヒンジピン２２（図１０参照）が後方から嵌合できるように形成された凹部１０４が設けられている。凹部１０４は略Ｕ字形に形成されており、その凹部１０４の入口がピン押え部材１０５によって塞がれるようになっている。ピン押え部材１０５は、ヒンジピン２２を凹部１０４の入口まで導き、前記ヒンジピン２２が凹部１０４と嵌合した後、その凹部１０４の入口を塞ぐ部材である。即ち、ピン押え部材１０５は、ヒンジピン２２をピン受け片１０２の凹部１０４の入口まで導くガイド面１０５ｅと、そのガイド面１０５ｅの先端部分で凹部１０４の入口を塞ぐ入口閉鎖部１０５ｖとを備えている。ピン押え部材１０５は、ピン受け片１０２の下側に水平回転可能な状態で連結されており、凹部１０４の入口を塞ぐ方向のバネ力を受けている（図９（Ｂ）、図１０（Ａ）参照）。
【０００３】
前枠（図示省略）側のヒンジピン２２と外枠１０側のピン受け機構１００とを連結させるには、先ず、図１０（Ａ）に示すように、ヒンジピン２２をピン押え部材１０５のガイド面１０５ｅに沿って横移動させ、凹部１０４の入口まで導く。次に、図１０（Ｂ）に示すように、ピン押え部材１０５の入口閉鎖部１０５ｖをヒンジピン２２の外周面で押圧し、ピン押え部材１０５をバネ力に抗して回転させ、凹部１０４の入口を開く。次に、図１０（Ｃ）に示すように、前枠を手前に引きながらヒンジピン２２と凹部１０４とを嵌合させる。この状態で、ピン押え部材１０５がバネ力により凹部１０４の入口を塞ぐ方向に回転し、ヒンジピン２２とピン受け機構１００との連結が完了する。
【０００４】
【特許文献１】特開平９−４７５５５号公報
【発明の開示】
【発明が解決しようとする課題】
【０００５】
しかし、上記したヒンジ装置では、ピン受け片１０２の凹部１０４はヒンジピン２２が後方から嵌合されるように形成されているため、前枠を手前に引きながらヒンジピン２２と凹部１０４とを嵌合させなければならない。このため、作業中にヒンジピン２２とピン受け片１０２の凹部１０４との嵌合の様子を目視確認することができない。これにより、例えば、ヒンジピン２２が途中で引っ掛かった場合等、嵌合完了と誤認することがある。
また、ヒンジピン２２と凹部１０４とが嵌合した後、ピン押え部材１０５の入口閉鎖部１０５ｖがバネ力で自動的に凹部１０４の入口を塞ぐ構造であるが、バネの故障等でピン押え部材１０５の動作不良が発生することがある。この場合も、目視確認ができないため、ピン押え部材１０５の動作不良を見過ごすことがある。
本発明は、上記問題点を解決するためになされたものであり、本発明の技術的課題は、ヒンジピンとピン受け機構との連結状況を目視確認できるようにして、ヒンジ装置の信頼性の向上を図ることである。
【課題を解決するための手段】
【０００６】
上記した課題は、各請求項の発明によって解決される。
請求項１の発明は、扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置であって、前記ピン受け機構は、ほぼ水平な状態で前記外枠の前方に突出し、先端部分が略Ｖ字形に切り欠かれ、その切り欠きの中央奥部に前記ヒンジピンが前方から嵌合できるように構成された凹部を備え、前記凹部の位置で前記ヒンジピンを回転可能に支持するピン受け片と、前記ピン受け片に水平回転可能な状態で軸支されており、弾性力で前記ピン受け片の凹部の入口を塞ぐ位置に保持されるピン押え部材と、前記ピン押え部材に設けられており、そのピン押え部材によって入口が塞がれている前記ピン受け片の凹部に対して前記ヒンジピンが押し込まれる動作により、そのヒンジピンの押圧力が加わるように構成されている押圧力受け面とを有しており、前記ヒンジピンの押圧力が前記ピン押え部材の押圧力受け面に加わると、その押圧力により前記ピン押え部材が前記弾性力に抗して前記ピン受け片の凹部の入口を開く方向に回転し、前記ヒンジピンが前記凹部と嵌合して前記押圧力受け面から外れた状態で、前記ピン押え部材が前記弾性力により前記凹部の入口を塞ぐ方向に回転する構成であり、前記ピン受け片の凹部の入口が前記ピン押え部材によって塞がれた状態で、前記凹部の入口には、その凹部の内側を目視可能な隙間が形成されていることを特徴とする。
【０００７】
本発明によると、外枠のピン受け機構は、ほぼ水平な状態でその外枠の前方に突出したピン受け片を備えており、そのピン受け片の先端部分が略Ｖ字形に切り欠かれ、その切り欠きの中央奥部にヒンジピンが前方から嵌合できるように構成された凹部が設けられている。即ち、ピン受け片及びそのピン受け片の凹部はパチンコ機の前方から目視可能な位置に設けられている。
また、ピン受け片には、ピン押え部材が水平回転可能な状態で軸支されており、そのピン押え部材が弾性力でピン受け片の凹部の入口を塞ぐ位置に保持されている。さらに、ピン押え部材によって入口が塞がれているピン受け片の凹部に対してヒンジピンを押し込む動作により、押圧力受け面がヒンジピンの押圧力を受けて、ピン押え部材は弾性力に抗して前記凹部の入口を開く方向に回転する。そして、ヒンジピンが凹部と嵌合すると、そのヒンジピンが押圧力受け面から外れ、ピン押え部材が弾性力で前記凹部の入口を塞ぐようになる。これによって、ヒンジピンはその凹部の位置でピン受け片によって回転可能に支持される。
即ち、前枠のヒンジピンを外枠の前方からピン受け機構（ピン受け片）の凹部に押し込むことで、前枠のヒンジピンと外枠のピン受け機構との連結が自動的に行われる。このため、前枠のヒンジピンと外枠のピン受け機構との連結過程を目視確認することができ、ヒンジピンとピン受け機構との連結信頼性が向上する。
また、前記ピン受け片の凹部の入口がピン押え部材によって塞がれた状態で、凹部の入口には、その凹部の内側を目視可能な隙間が形成されている。このため、前記隙間を介してヒンジピンがピン受け片の凹部と嵌合している様子を目視確認できるようになる。
【０００９】
請求項２の発明によると、ピン押え部材には、そのピン押え部材を弾性体の力に抗して凹部の入口を開く方向に回転させるためのレバー部が設けられており、前記ピン押え部材が前記凹部の入口を塞ぐ位置にあるときに、前記レバー部は前枠と外枠の前面との間に挟まれるように構成されている。
即ち、前枠が閉じられている状態では、レバー部が前枠と外枠の前面との間に挟まれるため、レバー部を動かすことはできない。このため、ピン押え部材が凹部の入口を塞ぐ位置から動くことがなく、不正操作によりヒンジピンがピン受け片の凹部から外されるような不具合が発生し難い。
【発明の効果】
【００１０】
本発明によると、前枠のヒンジピンと外枠のピン受け機構との連結過程を目視確認することができるため、そのヒンジピンとピン受け機構との連結信頼性が向上する。
【発明を実施するための最良の形態】
【００１１】
［実施形態１］
以下、図１〜図８に基づいて本発明の実施形態１に係るパチンコ機のヒンジ装置の説明を行なう。ここで、図１〜図４は本実施形態に係るヒンジ装置のピン受け機構を異なる方向から見た斜視図であり、図５は前記ピン受け機構の分解斜視図である。図６は本実施形態に係るヒンジ装置を備えるパチンコ機の前枠、外枠の全体斜視図であり、図７、図８はヒンジ装置のヒンジピンとピン受け機構との連結手順を表す平面図である。
なお、図中の前後左右及び上下は、パチンコ機における前後左右及び上下を表している。
【００１２】
＜パチンコ機の概要について＞
パチンコ機は、図６に示すように、略方形枠状に形成されて本体ケースとなる外枠１０を備えている。外枠１０は、鉄板製の左右の側板１０ｓ及び下板１０ｄと、木板製の上板１０ｕとにより構成されている。外枠１０の前面右側（向かって左側）には、上下に設けられたヒンジ装置２０，４０を介して遊技盤等の支持枠１２（以下、前枠１２という）が扉状に開閉可能に取付けられている。前枠１２は、図示されていない遊技盤や制御装置等、パチンコ機の主要部品が取付けられる枠であり、その前枠１２の前面にヒンジ機構（図示省略）を介して片開き状にガラス枠（図示省略）が取付けられる。また、このガラス枠の下部側に、玉受け皿等を有する前板（図示省略）が片開き状に取付けられる。
【００１３】
＜上下のヒンジ装置２０，４０について＞
図６に示すように、下側のヒンジ装置４０は外枠１０の支持プレート１０ｐ上に立設されたヒンジピン４２と、前枠１２の受けプレート１２ｒに形成されたピン孔４４とから構成されている。ヒンジ装置４０のヒンジピン４２とピン孔４４との連結は、前枠１２を持ち上げて降ろす際に、受けプレート１２ｒのピン孔４４に外枠１０の支持プレート１０ｐのヒンジピン４２を通すようにして行なう。
上側のヒンジ装置２０は前枠１２の上部プレート１２ｕ上に立設されたヒンジピン２２と、外枠１０の右上隅部に固定されたピン受け機構２５とから構成されている。ヒンジ装置２０のヒンジピン２２とピン受け機構２５との連結は、下側のヒンジ装置４０の連結が完了した状態で、後記するように、ヒンジピン２２を前方からピン受け機構２５に押し込むことにより、自動的に行なわれる。
即ち、前枠１２の上部プレート１２ｕが本発明のピン側固定部材に相当する。
【００１４】
＜上側のヒンジ装置２０のピン受け機構２５について＞
上側のヒンジ装置２０を構成するピン受け機構２５は、図１〜図５に示すように、外枠１０の上隅部に固定される固定板２６を備えている。固定板２６は、鉄板のプレス成形品であり、上板部２７と側板部２８とにより略Ｌ字形に形成されている。上板部２７は平板状で前後方向に幅広に形成されているのに対し、側板部２８は前後方向に幅狭に形成されて、その中央部に長手方向に延びる溝部２８ｍ（図１参照）が形成されている。そして、固定板２６の上板部２７がネジ等により外枠１０の上面に固定され、側板部２８が同じくネジ等により外枠１０の外側面に固定されている（図６参照）。
固定板２６の上板部２７は、外枠１０の上面に面接触する接触部分２７ｓと、外枠１０から前方にほぼ水平状態で突出する突出部分２７ｔとを備えている。上板部２７の接触部分２７ｓは正方形状に形成されており、その前後幅及び左右幅は外枠１０の上面の前後幅とほぼ等しい寸法に設定されている。上板部２７の突出部分２７ｔは、前後に長い略長方形状に形成されており、その左右幅は接触部分２７ｓの左右幅のほぼ半分程度の値に設定されている。
【００１５】
上板部２７の突出部分２７ｔの左端には、図３、図４に示すように、その突出部分２７ｔに対して直角下側に折り曲げられた縦板部２７ｋが設けられており、その縦板部２７ｋの下端に上板部２７の突出部分２７ｔと向かい合うように折り曲げられた板状のピン受け片２９が設けられている。
ピン受け片２９は、上板部２７の突出部分２７ｔとほぼ等しい形状に成形されている。
ピン受け片２９の先端部分は、図２、図３に示すように、平面略Ｖ字形に切り欠かれており、そのＶ字切り欠きの中央奥部に相当する位置に凹部３１が形成されている。凹部３１は、ヒンジピン２２が前方から嵌合できるように構成されており、図７（Ａ）に示すように、半円部３１ｃと、その半円部３１ｃまでヒンジピン２２を導く入口部３１ｅとによって平面Ｕ字形に形成されている。そして、凹部３１の入口部３１ｅの幅寸法がヒンジピン２２の外径寸法に、半円部３１ｃの半径寸法がヒンジピン２２の半径寸法にほぼ等しく設定されている。このため、ピン受け片２９の凹部３１における半円部３１ｃの位置でヒンジピン２２を回転可能に支持できるようになる。
また、ピン受け片２９のＶ字切り欠きを構成する左右の壁面は、ヒンジピン２２を凹部３１の入口部３１ｅまで導くためのガイド面３２として働くようになる。
【００１６】
上板部２７の突出部分２７ｔとピン受け片２９との間には、そのピン受け片２９の凹部３１と嵌合したヒンジピン２２の外れ防止を図るピン押え部材３４が装着されている。
ピン押え部材３４は、鉄板のプレス成形品であり、図５、図７等に示すように、ピン受け片２９に沿って前方に延びる鉤部３５と、外枠１０に沿って左方向に延びるレバー部３６とによって平面略逆Ｌ形に形成されている。ピン押え部材３４のレバー部３６には、ほぼ中央の前側位置に軸受部３７が設けられている。そして、ピン押え部材３４のレバー部３６の軸受部３７から鉤部３５の先端までの範囲が、上板部２７の突出部分２７ｔとピン受け片２９との間に収納されるように構成されている。即ち、ピン押え部材３４のレバー部３６の軸受部３７から鉤部３５の先端まで範囲の高さ寸法が、上板部２７の突出部分２７ｔとピン受け片２９との間隔にほぼ等しくなるように設定されている。また、ピン押え部材３４の軸受部３７よりも外側（左側）に位置するレバー部３６（把持部３６ｈ）は、図５等に示すように、下方向に張り出す平板状に形成されており、外枠１０の前面と前枠１２との間に挟まれるように構成されている。
【００１７】
上板部２７の突出部分２７ｔとピン受け片２９とには、図１、図２等に示すように、平面的に重なる所定位置にピン固定孔２７ｐ，２９ｐが形成されており、それらのピン固定孔２７ｐ，２９ｐにピン押え部材３４の軸受部３７に通された回動支持ピン３８の上端部と下端部とがそれぞれ固定されている。これによって、ピン押え部材３４は、ピン受け片２９の上面に沿って回動支持ピン３８の回りをほぼ水平に回転できるようになる。
【００１８】
ピン押え部材３４の鉤部３５の先端には、図８（Ａ）（Ｂ）等に示すように、ピン受け片２９の凹部３１と嵌合したヒンジピン２２の外周面に掛けられる鉤爪３９が形成されている。
鉤爪３９は、鉤部３５の横方向（左方向）に突出した略三角形状の爪であり、外側（先端側）に形成された傾斜面３９ｋと、内側に形成されてヒンジピン２２の外周面に掛けられる係合面３９ｆとを備えている。鉤爪３９の傾斜面３９ｋはピン受け片２９のガイド面３２と等しい傾斜角度で形成されており、ヒンジピン２２をピン受け片２９の凹部３１の入口部３１ｅまで導く働きをする。
ピン押え部材３４は、図７（Ａ）、図８等に示すように、レバー部３６（把持部３６ｈ）が外枠１０の前面に当接するまで、回動支持ピン３８の回りを左回転可動に構成されている。さらに、回動支持ピン３８の回りには、ピン押え部材３４を左回転させるように付勢されたコイルバネ３８ｂが装着されている。このため、ピン押え部材３４はコイルバネ３８ｂのバネ力を受けて左回転限界位置に保持されている。
【００１９】
ピン押え部材３４が左回転限界位置にあるときには、図７（Ａ）、図８等に示すように、鉤爪３９がピン受け片２９の凹部３１の入口部３１ｅ側に最も張り出して、その凹部３１の入口部３１ｅを半分以上塞いでいる。このため、ヒンジピン２２がピン受け片２９の凹部３１と嵌合した状態で、ピン押え部材３４が左回転限界位置まで回転すると（図８参照）、ピン押え部材３４の鉤爪３９がヒンジピン２２の外周面に掛けられ、ヒンジピン２２はピン受け片２９の凹部３１内で回転可能に支持される。
また、図７（Ｂ）示すように、ピン押え部材３４のレバー部３６（把持部３６ｈ）を手前に引いて、ピン押え部材３４をコイルバネ３８ｂのバネ力に抗して右回転させれば、鉤爪３９が凹部３１から離れ、その凹部３１の入口部３１ｅが開かれるようになる。
さらに、ピン押え部材３４が、図７（Ａ）に示すように、左回転限界位置にあって鉤爪３９がピン受け片２９の凹部３１の入口部３１ｅを塞いでいるときに、ヒンジピン２２をその凹部３１に押し込む動作を行なうと、ヒンジピン２２の外周面と鉤爪３９の傾斜面３９ｋとが相対摺動することで、その押し込み力がピン押え部材３４をコイルバネ３８ｂのバネ力に抗して右回転させ、凹部３１の入口部３１ｅが開かれるようになる。そして、ヒンジピン２２がピン受け片２９の凹部３１と嵌合して、そのヒンジピン２２がピン押え部材３４の鉤爪３９（傾斜面３９ｋ）から外れると、図８（Ａ）に示すように、ピン押え部材３４がコイルバネ３８ｂのバネ力によって再び左回転限界位置まで回転するようになる。
即ち、鉤爪３９の傾斜面３９ｋが本発明の押圧力受け面に相当する。
【００２０】
＜上側のヒンジ装置２０の連結動作について＞
次に、本実施形態に係るパチンコ機のヒンジ装置２０を使用して前枠１２の上隅部に固定されたヒンジピン２２と外枠１０の上隅部に固定されたピン受け機構２５との連結動作について説明する。
先ず、前枠１２の下隅部のピン孔４４と外枠１０の下隅部のヒンジピン４２とが連結された状態で、前枠１２が開方向に回転させられる。このとき、外枠１０のピン受け機構２５では、図７（Ａ）に示すように、ピン押え部材３４がコイルバネ３８ｂのバネ力で左回転限界位置、即ち、鉤爪３９が凹部３１の入口部３１ｅを塞ぐ位置に保持されている。
次に、外枠１０のピン受け機構２５の凹部３１に対して前枠１２のヒンジピン２２が前方から押し込まれる。これによって、ヒンジピン２２はピン受け片２９のガイド面３２及びピン押え部材３４の鉤爪３９の傾斜面３９ｋにガイドされて、ピン受け片２９の凹部３１の入口部３１ｅまで導かれる。このとき、ヒンジピン２２の外周面が鉤爪３９の傾斜面３９ｋを押圧して両者２２，３９ｋが相対摺動することで、ヒンジピン２２の押圧力はピン押え部材３４の右方向の回転力（コイルバネ３８ｂのバネ力に抗する方向の回転力）に変換される。これによって、図７（Ｂ）に示すように、ピン押え部材３４がコイルバネ３８ｂのバネ力に抗して右回転し、ピン受け片２９の凹部３１の入口部３１ｅが開かれる。
【００２１】
そして、ヒンジピン２２がピン受け片２９の凹部３１と嵌合して、そのヒンジピン２２がピン押え部材３４の鉤爪３９（傾斜面３９ｋ）から外れると、図８（Ａ）に示すように、ピン押え部材３４がコイルバネ３８ｂのバネ力によって再び左回転限界位置まで回転する。この状態で、ピン受け片２９の凹部３１の入口部３１ｅがピン押え部材３４の鉤爪３９によって塞がれ、その鉤爪３９がヒンジピン２２の外周面に掛けられるようになる。さらに、ピン押え部材３４のレバー部３６（把持部３６ｈ）が外枠１０の前面に当接するようになる。即ち、ヒンジピン２２とピン受け機構２５とが連結される。
なお、ピン受け片２９の凹部３１の入口部３１ｅがピン押え部材３４の鉤爪３９によって塞がれた状態で、凹部３１の入口部３１ｅにはその凹部３１の内側を目視可能な隙間Ｓ（図７（Ａ）参照）が形成される。
ヒンジピン２２とピン受け機構２５とが連結されると、前枠１２が閉じられ、図８（Ｂ）に示すように、ピン押え部材３４のレバー部３６（把持部３６ｈ）が外枠１０の前面と前枠１２との間に挟まれるようになる。この状態で、ヒンジ装置２０の連結動作が完了する。
また、ヒンジ装置２０の連結を解除する場合には、前枠１２が開かれた状態で、ピン押え部材３４のレバー部３６（把持部３６ｈ）を手前側に引くようにする。このように、ピン押え部材３４のレバー部３６（把持部３６ｈ）が手前側に引かれることで、ピン押え部材３４がコイルバネ３８ｂのバネ力に抗して右回転し、ピン受け片２９の凹部３１の入口部３１ｅが開かれる。これによって、ヒンジピン２２をピン受け機構２５から外すことができるようになる。
【００２２】
＜上側のヒンジ装置２０の利点について＞
本実施形態に係るヒンジ装置２０によると、外枠１０のピン受け機構２５は、ほぼ水平な状態でその外枠１０の前方に突出したピン受け片２９を備えており、そのピン受け片２９の先端部分にヒンジピン２２が前方から嵌合できるように構成された凹部３１が設けられている。即ち、ピン受け片２９及びそのピン受け片２９の凹部３１はパチンコ機の前方から目視可能となる。
また、ピン受け片２９には、ピン押え部材３４が水平回転可能な状態で軸支されており、そのピン押え部材３４が弾性力でピン受け片２９の凹部３１の入口部３１ｅを塞ぐ位置に保持されている。さらに、ピン押え部材３４によって入口部３１ｅが塞がれているピン受け片２９の凹部３１に対してヒンジピン２２を押し込む動作により、鉤爪３９の傾斜面３９ｋがヒンジピン２２の押圧力を受けて、ピン押え部材３４を弾性力に抗して凹部３１の入口部３１ｅを開く方向に回転させる。そして、ヒンジピン２２が凹部３１と嵌合すると、ピン押え部材３４が弾性力で凹部３１の入口部３１ｅを塞ぎ、ヒンジピン２２はその凹部３１の位置でピン受け片２９により回転可能に支持される。
即ち、前枠１２のヒンジピン２２を外枠１０の前方からピン受け機構２５（ピン受け片２９）の凹部３１に押し込むことで、自動的に前枠１２のヒンジピン２２と外枠１０のピン受け機構２５との連結が行われる。このため、前枠１２のヒンジピン２２と外枠１０のピン受け機構２５との連結過程を目視確認することができ、ヒンジピン２２とピン受け機構２５との連結信頼性が向上する。さらに、ヒンジピン２２とピン受け機構２５との連結作業もワンタッチで容易になる。
【００２３】
また、ピン受け片２９の凹部３１の入口部３１ｅがピン押え部材３４の鉤爪３９によって塞がれた状態で、凹部３１の入口部３１ｅには、その凹部３１の内側を目視可能な隙間Ｓが形成されている。このため、前記隙間Ｓを介してヒンジピン２２がピン受け片２９の凹部３１と嵌合している様子を目視確認できるようになる。
また、ピン押え部材３４には、そのピン押え部材３４を弾性体の力に抗して凹部３１の入口部３１ｅを開く方向に回転させるためのレバー部３６（把持部３６ｈ）が設けられており、ピン押え部材３４が凹部３１の入口部３１ｅを塞ぐ位置にあるときに、レバー部３６（把持部３６ｈ）は前枠１２と外枠１０の前面との間に挟まれるように構成されている。このため、前枠１２が閉じられている状態では、レバー部３６が前枠１２と外枠１０の前面との間に挟まれるため、レバー部３６を動かすことはできない。このため、ピン押え部材３４が凹部３１の入口部３１ｅを塞ぐ位置から動くことがなく、不正操作でヒンジピン２２がピン受け片２９の凹部３１から外されるような不具合が発生しない。
【００２４】
また、ピン受け片２９の先端部分は平面略Ｖ字形に切り欠かれてガイド面３２が形成されており、ピン押え部材３４の鉤爪３９の先端にはガイド面３２と等しい傾斜角度の傾斜面３９ｋが形成されている。このため、ヒンジピン２２を容易にピン受け片２９の凹部３１の入口部３１ｅまで導けるようになる。
さらに、ヒンジ装置２０のピン受け機構２５を構成する固定板２６及びピン押え部材３４は鉄板をプレス成形することにより製作されるため、ピン受け機構２５を廃棄する際に鉄くずとして再利用が可能である。
【００２５】
＜本実施形態に係るヒンジ装置２０の変更例について＞
なお、本実施形態に係るヒンジ装置２０では、ピン受け片２９の凹部３１の入口部３１ｅがピン押え部材３４の鉤爪３９によって塞がれた状態で、その凹部３１の入口部３１ｅに隙間Ｓが形成される例を示したが、前記隙間Ｓが生じないように鉤爪３９により凹部３１の入口部３１ｅを塞ぐようにしても良い。
また、本実施形態では、側板１０ｓが鋼板製、上板１０ｕが木板製の外枠１０に装着されるピン受け機構２５を例示したが、上板１０ｕ及び側板１０ｓが共に木板製の外枠１０に本実施形態に係るピン受け機構２５を使用することも可能である。この場合、ピン受け機構２５の固定板２７を構成する側板部２８の前後幅寸法を上板部２７の前後幅寸法と等しい値にするのが好ましい。
【図面の簡単な説明】
【００２６】
【図１】本発明の実施形態１に係るヒンジ装置のピン受け機構を表す斜視図である。
【図２】前記ヒンジ装置のピン受け機構を表す斜視図である。
【図３】前記ヒンジ装置のピン受け機構を表す斜視図である。
【図４】前記ヒンジ装置のピン受け機構を表す斜視図である。
【図５】前記ヒンジ装置のピン受け機構の分解斜視図である。
【図６】本発明の実施形態１に係るヒンジ装置を備えるパチンコ機の前枠、外枠の全体斜視図である。
【図７】前記ヒンジ装置のヒンジピンとヒンジ受け機構との連結手順を表す平面図（Ａ図，Ｂ図）である。
【図８】前記ヒンジ装置のヒンジピンとヒンジ受け機構との連結手順を表す平面図（Ａ図，Ｂ図）である。
【図９】従来のヒンジ装置の全体斜視図（Ａ図）、及びＡ図の要部拡大図（Ｂ図）である。
【図１０】従来のヒンジ装置の連結動作を表す平面図（Ａ図，Ｂ図，Ｃ図）である。
【符号の説明】
【００２７】
１０      外枠
１２      前枠
１２ｕ    上部プレート（ピン側固定部材）
２２      ヒンジピン
２５      ピン受け機構
２９      ピン受け片
３１      凹部
３１ｅ    入口部
３４      ピン押え部材
３６      レバー部
３６ｈ    把持部
３９      鉤爪
３９ｋ    傾斜面（押圧力受け面）
【図１】
0004846287.tif 000002
【図２】
0004846287.tif 000003
【図３】
0004846287.tif 000004
【図４】
0004846287.tif 000005
【図５】
0004846287.tif 000006
【図６】
0004846287.tif 000007
【図７】
0004846287.tif 000008
【図８】
0004846287.tif 000009
【図９】
0004846287.tif 000010
【図１０】
0004846287.tif 000011